(57)【特許請求の範囲】
【請求項１】
搬送された原稿が排出される排出トレイと、
搬送される前記原稿を読み取るために配置され、一部が前記排出トレイに対面するように配置されるスキャナユニットと、
を備え、
前記スキャナユニットの内部において前記排出トレイ寄りの位置には、ＣＣＤセンサ及びレンズが配置されており、
前記スキャナユニットの前記排出トレイに対面する前記一部であって、前記ＣＣＤセンサ及び前記レンズよりも装置正面側に凹部が形成されていることを特徴とする自動原稿搬送装置。
【請求項２】
請求項１に記載の自動原稿搬送装置であって、
前記スキャナユニットは、前記ＣＣＤセンサを搭載したＣＣＤ基板を備え、
前記ＣＣＤ基板は、装置前後方向に細長く形成され、
当該ＣＣＤ基板が前記スキャナユニット内の装置前後方向の中央よりも装置背面側に寄った位置に配置されることにより、当該ＣＣＤ基板が配置されていない領域が前記スキャナユニット内の装置正面側に形成されていることを特徴とする自動原稿搬送装置。
【請求項３】
請求項１又は２に記載の自動原稿搬送装置であって、
前記スキャナユニットは前記ＣＣＤセンサ及び前記レンズを覆う蓋部を備え、
前記凹部は前記蓋部に形成されていることを特徴とする自動原稿搬送装置。
【請求項４】
請求項１から３までの何れか一項に記載の自動原稿搬送装置であって、
前記原稿を前記排出トレイに排出するための排出ローラを備え、
前記凹部は、前記排出ローラの近傍から始まることを特徴とする自動原稿搬送装置。
【請求項５】
請求項１から４までの何れか一項に記載の自動原稿搬送装置であって、
前記スキャナユニットにおいて、前記凹部と凹部以外の部分の境界に斜面が形成されていることを特徴とする自動原稿搬送装置。
【請求項６】
請求項１から５までの何れか一項に記載の自動原稿搬送装置であって、
前記原稿を供給するための原稿トレイを備え、
前記スキャナユニットの前記排出トレイに対面する前記一部のうち、前記凹部が形成されている部分は略平面状に形成されており、
前記スキャナユニットの前記排出トレイに対面する前記一部のうち前記凹部が形成されている部分と、前記排出トレイと、がなす角度が、前記原稿トレイと前記排出トレイとの角度よりも大きいことを特徴とする自動原稿搬送装置。
【請求項７】
請求項１から６までの何れか一項に記載の自動原稿搬送装置であって、
前記スキャナユニットは、少なくとも前記凹部の周辺部分において角が丸く形成されていることを特徴とする自動原稿搬送装置。
【請求項８】
請求項１から７までの何れか一項に記載の自動原稿搬送装置を備えたことを特徴とする原稿読取装置。
【発明の詳細な説明】
【技術分野】
【０００１】
本発明は、自動原稿搬送装置、及び、原稿を当該自動原稿搬送装置で搬送しながら読み取る原稿読取装置に関する。
【背景技術】
【０００２】
従来から、ＡＤＦ（オートドキュメントフィーダ、自動原稿搬送装置）を備えた原稿読取装置が知られている。この種の原稿読取装置は、原稿トレイと排出トレイを備え、原稿トレイが上、排出トレイが下となるように両トレイが上下方向に並べて配置される構成をとることがある。また、通常のＡＤＦは、原稿を排出トレイへ排出するための排出ローラを備えている。
【０００３】
この構成の原稿読取装置では、排出トレイが原稿トレイの下側に隠れる形となるので、当該排出トレイに排出された原稿の視認性が悪くなることがあった。このため、排出された原稿をユーザが見逃して取り忘れてしまう場合があった。特に前記排出ローラ近傍は装置正面側から見づらく、原稿用紙が小さいサイズの場合などは取り忘れが多発していた。
【０００４】
この点に関し、特許文献１及び特許文献２の発明は、ＡＤＦのカバーの装置正面側の一部に切欠きを形成する構成を開示している。上記特許文献は、これにより排出トレイに排出された原稿の視認性が向上するとしている。
【特許文献１】特開２００７−８４３２６号公報
【特許文献２】特開２００７−８６４９７号公報
【発明の開示】
【発明が解決しようとする課題】
【０００５】
上記特許文献１及び２の構成は、何れも、いわゆるスイッチバック方式のＡＤＦを備えた読取装置についてのものである。一方、表面用と裏面用にそれぞれ原稿読取部を備え、ワンパスで両面読み取りを行う方式の原稿読取装置においては、以下のように特有の課題がある。
【０００６】
即ち、上記ワンパス方式の原稿読取装置において、２つの前記読取部のうち片方（通常は裏面用）の読取部に縮小光学系タイプのものを採用することがある。この場合、当該読取部は密閉構造のケースに光学部品を収納した状態のスキャナユニットとして構成され、このスキャナユニットはＡＤＦのケース内部に配置されることが多い。
【０００７】
この種の原稿読取装置では、排出ローラの近傍位置において、前記スキャナユニットの一部が排出トレイの上方に張り出すようなレイアウトとなる場合が多い。このスキャナユニットは、内部に光学部品を収納しているために、一定程度の厚みがある。そのため、このスキャナユニットの張出し部が邪魔になり、元々視認性が良くなかった排出トレイの排出ローラ付近が更に見づらくなっていた。また前記張出し部が邪魔になるため、排出ローラ付近まで手を差し入れることが難しく、（特に小サイズの）原稿が取り出しにくくなっていた。
【０００８】
従って、ＡＤＦのカバーの内部にスキャナユニットを備えた原稿読取装置においては、前記特許文献が開示するようにＡＤＦのカバーに切欠きを形成するだけでは、排出トレイの視認性と原稿の取出し容易性を十分に向上させることができない。一方で、上記スキャナユニットは内部に光学部品を搭載しているため、小型化するには限界がある。また、スキャナユニットの周辺に配置されるの他の部品との兼ね合いもあるため、スキャナユニットの一部が排出トレイ側に張り出さないようにレイアウトを変更することも容易ではない。
【０００９】
本願発明は以上の事情に鑑みてされたものであり、その主要な目的は、排出トレイに排出された原稿の視認性と取出し易さを向上させた自動原稿搬送装置を提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成の自動原稿搬送装置が提供される。即ち、この自動原稿搬送装置は、排出トレイと、スキャナユニットと、を備える。前記排出トレイには、搬送された原稿が排出される。前記スキャナユニットは、搬送される前記原稿を読み取るために配置され、一部が前記排出トレイに対面するように配置される。また、前記スキャナユニットの内部において前記排出トレイ寄りの位置には、ＣＣＤセンサ及びレンズが配置されている。そして、前記スキャナユニットの前記排出トレイに対面する前記一部であって、前記ＣＣＤセンサ及び前記レンズよりも装置正面側に凹部が形成されている。
【００１２】
これにより、排出トレイに排出された原稿を、ユーザが装置正面側から前記凹部を介して容易に視認することができる。また、装置正面側から手を差し入れるときにスキャナユニットが邪魔になりにくいため、小さい原稿であっても排出トレイから取り出し易くなる。また、ＣＣＤセンサ及びレンズよりも正面側に凹部を形成することにより、内部のＣＣＤセンサ等を配置するために必要なスペースを確保しつつ、スキャナユニットに凹部を形成することができる。
【００１５】
前記の自動原稿搬送装置においては、以下の構成とすることが好ましい。即ち、前記スキャナユニットは、前記ＣＣＤセンサを搭載したＣＣＤ基板を備える。前記ＣＣＤ基板は、装置前後方向に細長く形成される。当該ＣＣＤ基板が前記スキャナユニット内の装置前後方向の中央よりも装置背面側に寄った位置に配置されることにより、当該ＣＣＤ基板が配置されていない領域が前記スキャナユニット内の装置正面側に形成されている。
【００１６】
これにより、ＣＣＤ基板をスキャナユニット内の装置前後中央に配置する場合と比べて、凹部を広い範囲に形成できるので、原稿の視認性と取出し容易性が更に向上する。
【００１７】
前記の自動原稿搬送装置においては、以下の構成とすることが好ましい。即ち、前記スキャナユニットは、前記ＣＣＤセンサ及び前記レンズを覆う蓋部を備える。前記凹部は前記蓋部に形成されている。
【００１８】
これにより、蓋部を取り外すことでＣＣＤセンサ等のメンテナンスが容易になる。また、その蓋部に凹部を形成することで、スキャナユニット本体側の簡素な構成を実現することができる。
【００１９】
前記の自動原稿搬送装置においては、以下の構成とすることが好ましい。即ち、この自動原稿搬送装置は、前記原稿を前記排出トレイに排出するための排出ローラを備える。前記凹部は、前記排出ローラの近傍から始まる。
【００２０】
これにより、原稿の視認性が更に向上する。また排出トレイに排出された原稿が特に小さいサイズであっても、排出ローラの近傍まで手を差し入れることができるので、原稿の取出し容易性が更に向上する。
【００２１】
前記の自動原稿搬送装置においては、前記スキャナユニットにおいて、前記凹部と凹部以外の部分の境界に斜面が形成されていることが好ましい。
【００２２】
これにより、凹部と凹部以外の部分との境界部分が垂直な壁状に形成されている構成と比べて、排出トレイに手を差し入れた際にスキャナユニットが邪魔になることを抑制できる。また、斜面の部分を通じて排出トレイの装置奥側を容易に見通すことができるので、原稿の視認性が向上する。
【００２３】
前記の自動原稿搬送装置においては、以下の構成とすることが好ましい。即ち、この自動原稿搬送装置は、前記原稿を供給するための原稿トレイを備える。前記スキャナユニットの前記排出トレイに対面する前記一部のうち、前記凹部が形成されている部分は略平面状に形成されている。前記スキャナユニットの前記排出トレイに対面する前記一部のうち前記凹部が形成されている部分と、前記排出トレイと、がなす角度が、前記原稿トレイと前記排出トレイとの角度よりも大きくなっている。
【００２４】
これにより、凹部の入口が広くなるので、原稿トレイと排出トレイの間の空間から、凹部を利用して奥まで容易にアクセスすることができる。従って、原稿の視認性と取出し容易性が更に向上する。
【００２５】
前記の自動原稿搬送装置においては、前記スキャナユニットは、少なくとも前記凹部の周辺部分において角が丸く形成されていることが好ましい。
【００２６】
これにより、凹部の近傍に手を差し入れたときのゴツゴツした感触が低減されるので、原稿の取出しをよりスムーズかつ快適に行うことができる。
【００２７】
本発明の別の観点によれば、前記の自動原稿搬送装置を備えた原稿読取装置が提供される。
【００２８】
これにより、排出トレイに排出された原稿を、ユーザが装置正面側から前記凹部を介して容易に視認することができる。また、装置正面側から手を差し入れるときにスキャナユニットが邪魔になりにくいため、小さい原稿であっても排出トレイから取り出し易くなる。
【発明を実施するための最良の形態】
【００２９】
以下、本発明の好適な実施形態について図面を参照しながら説明する。図１は本発明の一実施形態に係る自動原稿搬送装置２５を備えた原稿読取装置としてのイメージスキャナ装置１０を含むコピーファクシミリ複合機（複合機）２０の外観斜視図である。図２は自動原稿搬送装置２５及びイメージスキャナ装置１０の正面断面図である。
【００３０】
図１に示すように、コピーファクシミリ複合機２０は、ブックスキャナ及びオートドキュメントフィードスキャナとして機能するイメージスキャナ装置１０を備える。また、複合機２０は、コピー部数、ファクシミリ送信先及び原稿読取等を指示するための操作パネル７７と、記録媒体としての用紙に画像を形成する画像形成部等を内蔵した本体７８と、前記用紙を順次供給する給紙カセット７９と、を備えている。前記本体７８は、通信回線を介して画像データを伝送するための図略の送受信部を備える。
【００３１】
前記複合機２０が備えるイメージスキャナ装置１０は、図２に示すように、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るための第１スキャナユニット５０及び第２スキャナユニット６０を備えている。
【００３２】
このイメージスキャナ装置１０をオートドキュメントフィードスキャナとして使用する場合は、前記ＡＤＦ２５によって原稿を１枚ずつ搬送する。そして、原稿の表側の面（第１面）の画像は第１スキャナユニット５０によって読み取られ、裏側の面（第２面）の画像は第２スキャナユニット６０によって読み取られる。
【００３３】
一方、イメージスキャナ装置１０をブックスキャナとして使用する場合は、読み取るべきブック原稿をユーザがプラテンガラス２２上に載置して、その上から原稿台カバー２１によって押圧し、ブック原稿が動かないように固定する。この状態で、第１スキャナユニット５０によって原稿の画像を読み取ることができるようになっている。
【００３４】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。
【００３５】
図２に示すように、前記原稿台カバー２１の内部には、原稿トレイ２３と排出トレイ２４とを繋ぐ湾曲状の原稿搬送経路３０が構成されている。この構成で、原稿トレイ２３に重ねてセットされた原稿は、１枚ずつ分離されて湾曲状の前記原稿搬送経路３０に沿って搬送され、排出トレイ２４へ排出される。原稿の読取の開始等の指示は、図１に示す操作パネル７７によって行うことができる。
【００３６】
次に、原稿搬送経路３０に沿って、ＡＤＦ２５の各部の構成を詳細に説明する。
【００３７】
図２に示すように、原稿トレイ２３から原稿搬送経路３０に原稿が供給される箇所にはピックアップローラ３１が配置されている。このピックアップローラ３１の下流側には分離ローラ３２が備えられ、この分離ローラ３２に対向して対向ローラ３７が配置されている。ピックアップローラ３１は原稿トレイ２３上の最上層の原稿を繰り込み、下流の分離ローラ３２へ向かって搬送する。分離ローラ３２は、原稿を対向ローラ３７との間でニップしながら駆動することで、原稿を１枚ずつ分離し、更に下流側へ搬送する。
【００３８】
分離ローラ３２の下流側には、レジストローラ３９と、このレジストローラ３９と対になる対向ローラと、が配置されている。レジストローラ３９は前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００３９】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて、更に下流側へ搬送される。
【００４０】
２つの搬送ローラ３４，３５の間には第１原稿読取位置８０が設定されており、この第１原稿読取位置８０を通過する原稿は、以下に説明する第１スキャナユニット５０によって走査され、読み取られる。なお、この第１原稿読取位置８０にはプラテンローラ２９が配置されている。
【００４１】
第１スキャナユニット５０について説明する。この第１スキャナユニット５０は本体７８側に設置されるとともに、ＡＤＦ２５及びプラテンガラス２２の下方に配置されている。また、この第１スキャナユニット５０は、光源５１と、反射ミラー５２，５３，５４と、集光レンズ５５と、電荷結合素子（ＣＣＤ）５６と、を備えている。光源５１は前記ＡＤＦ２５の前記第１原稿読取位置８０（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００４２】
第１スキャナユニット５０の光源５１及び反射ミラー５２等は移動可能に構成されている。前述したようにイメージスキャナ装置１０をブックスキャナとして使用する場合は、第１スキャナユニット５０の光源５１及び反射ミラー５２等をプラテンガラス２２に沿って移動させる。これによって、プラテンガラス２２上に載置された原稿を読み取ることができるようになっている。
【００４３】
イメージスキャナ装置１０をオートドキュメントフィードスキャナとして使用する場合（ＡＤＦ２５を用いて原稿を読み取る場合）について説明する。この場合、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、第１スキャナユニット５０が走査して読み取ることができる。
【００４４】
第１スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００４５】
原稿搬送経路３０において、前記第１原稿読取位置８０の下流側（搬送ローラ３５の下流側）には第２原稿読取位置９０が設定されている。この第２原稿読取位置９０を通過する原稿の裏面は、次に説明する第２スキャナユニット６０によって走査されて読み取られる。
【００４６】
第２スキャナユニット６０について説明する。この第２スキャナユニット６０は、内部の光学系を構成する部品等を保持するスキャナフレーム１２を備えている。このスキャナフレーム１２は、第２スキャナユニット６０の構成部品の外側を覆うように構成されている。
【００４７】
また、このスキャナフレーム１２の下側であって排出トレイ２４側の一部は開放可能に構成されており、この開放部は、通常時は蓋部１３によって覆われている。前記開放部は原稿主走査方向（原稿の幅方向）に細長く形成されており、これに対応して、蓋部１３も原稿主走査方向に細長く形成されている。
【００４８】
スキャナフレーム１２の底部には、原稿の裏面を読み取るための読取ガラス４２が備えられる。この読取ガラス４２は、前記第２原稿読取位置９０に対応する位置に配置される。また、ＡＤＦ２５本体側に備えられた排出ローラ３６と対向する位置において、前記スキャナフレーム１２には対向排出ローラ４０が備えられている。
【００４９】
スキャナフレーム１２の内部には、第２スキャナユニット６０の構成部品が配置される。この第２スキャナユニット６０は前記第１スキャナユニット５０と同様に、光源６１と、反射ミラー６２，６３，６４，６５と、集光レンズ（レンズ）６７と、ＣＣＤ（電荷結合素子、ＣＣＤセンサ）５７と、を備えている。前記光源６１は前記読取ガラス４２を介して第２原稿読取位置９０に光を照射し、原稿からの反射光は反射ミラー６２，６３，６４，６５によって反射し、更に集光レンズ６７で収束してＣＣＤ５７の部分に結像する。ＣＣＤ５７は、第１スキャナユニット５０におけるＣＣＤ５６と同様に、原稿の画像情報に応じた電気信号を出力する。この信号も適宜変換処理され、複合機２０が備える画像形成部に送信される。
【００５０】
また、スキャナフレーム１２の第２原稿読取位置９０（前記読取ガラス４２）に対向するように、プラテンローラ３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００５１】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００５２】
次に、排出トレイ２４近傍の構成について図３を参照して説明する。図３は排出トレイ２４の近傍の様子を拡大した斜視図である。
【００５３】
図３に示すように、ＡＤＦ２５の筐体の装置正面側には切欠部１４が形成されている。この切欠部１４は原稿トレイ２３よりも低い位置に形成され、排出トレイ２４に原稿が排出される方向の下流側を開放させている。これにより、視線がＡＤＦ２５の筐体によって遮られることが少なくなり、排出ローラ３６近傍の視認性が良くなっている。
【００５４】
排出ローラ３６より原稿搬送方向下流側では、排出トレイ２４の上方に、第２スキャナユニット６０の一部であって前記排出トレイ２４に対面する部分（前記蓋部１３）が張り出している。そして、この第２スキャナユニット６０の張出し部分の下面（蓋部１３の下面）において、装置正面側の位置に凹部１１を形成することにより、排出トレイ２４に排出された原稿の視認性と取出し易さを向上させている。
【００５５】
具体的には、この凹部１１は略平面状に形成されており、排出ローラ３６の近傍位置から原稿搬送方向下流側に行くに従って斜めにせり上がるように形成されている。また、前記原稿トレイ２３も同様に、前記分離ローラ３２から離れるに従って斜めにせり上がるように形成されているが、前記凹部１１の傾斜角は、原稿トレイ２３の傾斜角よりも大きくなっている。言い換えれば、前記凹部１１と前記排出トレイ２４との角度が、前記原稿トレイ２３が排出トレイ２４に対してなす角度よりも大きな角度となっている。これにより、排出ローラ３６より下流側であって装置正面側の空間を大きく確保することができる。
【００５６】
更に、前記凹部１１によって形成される空間は、前記切欠部１４と連通するように構成されている。従って、切欠部１４及び凹部１１を介して、装置正面側から排出ローラ３６の近傍を良好に視認することができる。また同様に、切欠部１４及び凹部１１を通過させるようにして、装置正面側から排出ローラ３６の近傍まで手を差し入れることができる。このため、小さいサイズの原稿が排出トレイ２４に排出された場合であっても、当該原稿の取出しを容易に行うことができる。
【００５７】
また、ユーザが排出トレイ２４から原稿を取り出す場合は、原稿トレイ２３の下方を覗き込まずに排出トレイ２４の上方へ手を差し入れ、手探りで原稿を探すことも多い。この点を考慮して、本実施形態の蓋部１３は、凹部１１とそれ以外の部分が斜面１５によって接続された形状となっている。また、図３に示すように、蓋部１３の表面の全体（凹部１１の周辺部分を含む）にわたって、その角部には円弧面（フィレット）が形成され、鋭く角張った部分がない形状となっている。これにより、ユーザが手を差し入れた際に第２スキャナユニット６０に引っ掛かることなく、スムーズに排出ローラ３６の近傍まで手を差し入れることができる。また、斜面１５が形成されているので、凹部１１の部分に形成される空間よりも、更に装置背面側へ手を容易に伸ばすことができる。
【００５８】
次に、図４を参照して、蓋部１３に形成された凹部１１の構成について詳細に説明する。図４は第２スキャナユニット６０を斜め下方から見たときの概略的な様子を示す斜視図である。
【００５９】
図４に破線で示すように、蓋部１３の内側（スキャナフレーム１２の内部）には、集光レンズ６７と、ＣＣＤ５７と、当該ＣＣＤ５７を表面に実装したＣＣＤ基板５８と、が配置されている。
【００６０】
また、前記蓋部１３はネジ１６によってスキャナフレーム１２に対して固定されており、このネジ１６を外すことによってスキャナフレーム１２から取り外すことが可能である。これにより、内部の光学部品等のメンテナンスが容易となる。
【００６１】
ここで、前記集光レンズ６７及びＣＣＤ５７は、第２スキャナユニット６０内で原稿主走査方向の中央（装置の前後方向中央）に設定された光軸上に配置される必要がある。従って、仮に蓋部１３の中央部分に凹部を形成した場合、集光レンズ６７とＣＣＤ５７の収納スペースを確保することが困難になり、第２スキャナユニット６０が大型化してしまう。この点、本実施形態では、集光レンズ６７及びＣＣＤ５７を避けた位置（集光レンズ６７及びＣＣＤ５７と対応しない位置）に凹部１１を配置し、その上で、前記集光レンズ６７等と干渉しない範囲で、装置正面側から中央へ向かって可能な限り延長するように凹部１１を形成している。これにより、光学部品を収納するスペースを確保しつつ、凹部１１を広い範囲にわたって形成することができる。
【００６２】
また、ＣＣＤ基板５８は、通常、縦方向の厚みが少ない第２スキャナユニット６０内に収納するために、主走査方向に細長い形状とされる。本実施形態では、この細長いＣＣＤ基板５８を、第２スキャナユニット６０内で主走査方向の中央から装置背面側に寄せた位置に配置することにより、ＣＣＤ基板５８が配置されていない領域を第２スキャナユニット６０内の装置正面側に形成している。これにより、凹部１１を形成するためのスペースを装置正面側に容易に確保することができる。
【００６３】
また、図４に示すように、凹部１１は排出ローラ３６の近傍から始まるとともに、搬送方向下流側に行くに従って斜めにせり上がるように形成されている。この凹部１１の形状により、ユーザは、排出ローラ３６のすぐ近くまで手を差し入れることができる。
【００６４】
以上に説明したように、本実施形態のイメージスキャナ装置１０は、ＡＤＦ２５を備えている。そして、本実施形態のＡＤＦ２５は、排出トレイ２４と、第２スキャナユニット６０と、を備える。排出トレイ２４には、搬送された原稿が排出される。第２スキャナユニット６０は、搬送される原稿を読み取るために配置される。また、第２スキャナユニット６０は、一部が排出トレイ２４に上下方向で対面するように配置される。そして、第２スキャナユニット６０において、排出トレイ２４側に対面する面であって装置正面側端部を含む一部に凹部１１が形成されている。
【００６５】
これにより、排出トレイ２４に排出された原稿を、ユーザが装置正面側から前記凹部１１を介して容易に視認することができる。また、装置正面側から手を差し入れるときに第２スキャナユニット６０が邪魔になりにくいため、小さい原稿であっても排出トレイ２４から取り出し易くなる。
【００６６】
また、本実施形態のＡＤＦ２５において、第２スキャナユニット６０はＣＣＤ５７及び集光レンズ６７を内部に備える。また、前記凹部１１は、ＣＣＤ５７及び集光レンズ６７を避けた位置に形成されている。
【００６７】
これにより、内部のＣＣＤ５７等を配置するために必要なスペースを確保しつつ、第２スキャナユニット６０に凹部１１を形成することができる。
【００６８】
また、本実施形態のＡＤＦ２５において、第２スキャナユニット６０は、ＣＣＤ５７を搭載したＣＣＤ基板５８を備える。また、ＣＣＤ基板５８は第２スキャナユニット６０内の装置背面寄りの位置に配置されている。
【００６９】
これにより、ＣＣＤ基板５８を第２スキャナユニット６０内の装置前後中央に配置する場合と比べて、凹部１１を広い範囲で形成することができるので、原稿の視認性と取出し容易性が更に向上する。
【００７０】
また、本実施形態のＡＤＦ２５において、第２スキャナユニット６０は、ＣＣＤ５７及び集光レンズ６７を覆う蓋部１３を備える。また、前記凹部１１は蓋部１３に形成されている。
【００７１】
これにより、蓋部１３を取り外すことでＣＣＤ５７等のメンテナンスが容易になる。また、その蓋部１３に凹部１１を形成することで、第２スキャナユニット６０本体側の簡素な構成を実現することができる。
【００７２】
また、本実施形態のＡＤＦ２５は、前記原稿を排出トレイ２４に排出するための排出ローラ３６を備える。また、凹部１１は、排出ローラ３６の近傍部分を含む領域に形成されている。
【００７３】
これにより、原稿の視認性が更に向上する。また、排出トレイ２４に排出された原稿が極めて小さいサイズであっても、排出ローラ３６の近傍まで手を差し入れることができるので、原稿の取出し容易性が更に向上する。
【００７４】
また、本実施形態のＡＤＦ２５が備える第２スキャナユニット６０においては、凹部１１と凹部１１以外の部分の境界に斜面１５が形成されている。
【００７５】
これにより、凹部１１と凹部１１以外の部分との境界部分が垂直な壁状に形成される場合に比べて、排出トレイ２４に手を差し入れる際に第２スキャナユニット６０が邪魔になることを抑制できる。また、境界が斜面状に形成されているので、ユーザは前記斜面１５の部分を通じて排出トレイ２４の装置奥側を容易に見通すことができ、原稿の視認性が向上する。
【００７６】
また、本実施形態のＡＤＦ２５は、前記原稿を供給するための原稿トレイ２３を備える。また、凹部１１は略平面状に形成されている。そして、凹部１１と排出トレイ２４との角度が、原稿トレイ２３と排出トレイ２４との角度よりも大きくなるように構成されている。
【００７７】
これにより、凹部１１の入口が広くなるので、原稿トレイ２３と排出トレイ２４の間の空間から、凹部１１を利用して装置の奥側（排出ローラ３６の近傍）まで容易にアクセスすることができる。従って、原稿の視認性と取出し容易性が更に向上する。
【００７８】
また、本実施形態のＡＤＦ２５においては、第２スキャナユニット６０は、少なくとも前記凹部１１の周辺において角が丸く形成されている。
【００７９】
これにより、手探りで排出原稿を取り出すために凹部１１の近傍に手を差し入れたときのゴツゴツした感触が低減されるので、原稿の取出し作業をよりスムーズかつ快適に行うことができる。
【００８０】
以上に本発明の好適な実施形態について説明したが、上記の構成は例えば以下のように変更することができる。
【００８１】
蓋部１３に凹部１１を形成する構成に代えて、蓋部１３を設けずスキャナフレーム１２に直接凹部を形成するように変更することができる。この場合、内部の光学部品のメンテナンスを容易にするため、スキャナフレーム１２の内部を露出させるための手段を別途設けることが好ましい。
【００８２】
上記の実施形態では凹部１１を略平面状として説明したが、これに限定されず、また、斜面１５の形状も限定されない。更には、上記実施形態のように、凹部１１と斜面１５とを明確に区別可能な形状である必要もない。例えば、徐々に傾斜がきつくなる曲面状の斜面によって、凹部と凹部以外の部分を滑らかに接続するように構成しても良い。
【００８３】
第２スキャナユニット６０は、蓋部１３に前記斜面１５を形成しない構成に変更したり、蓋部１３の表面のカドを丸くしない構成に変更することができる。ただし、排出ローラ３６の近傍までスムーズに手を差入れ可能にする観点からは、斜面１５を形成し、角張った部分をなくした構成とすることが好ましい。
【００８４】
また、凹部１１が排出ローラ３６の近傍から始まるように形成することに代えて、より下流側の位置から凹部が始まるような構成としても良い。ただし、排出ローラ３６の近傍まで手を差し入れることができるようにするとともに、排出トレイ２４の視認性を最大限良くするという観点からは、凹部１１は排出ローラ３６の近傍から始まる構成とすることが好ましい。
【００８５】
上記の実施形態のようなＡＤＦスキャナ及びブックスキャナ兼用の構成に代えて、ＡＤＦ専用のスキャナにも上記の第２スキャナユニット６０の構成を適用することができる。また、前記コピーファクシミリ複合機２０に代えて、例えば両面読取方式のコピー機等にも上記実施形態のイメージスキャナ装置１０を適用することができる。
【００８６】
更に、上記実施形態のように複合機２０の一部としてイメージスキャナ装置１０が備えられる構成に代えて、単体のイメージスキャナ装置として構成するように変更することができる。
【図面の簡単な説明】
【００８７】
【図１】本発明の一実施形態に係る自動原稿搬送装置及びイメージスキャナ装置を含むコピーファクシミリ複合機の様子を示した外観斜視図。
【図２】本実施形態の自動原稿搬送装置及びイメージスキャナ装置の構成を示した正面断面図。
【図３】排出トレイ近傍の様子を拡大して示した外観斜視図。
【図４】第２スキャナユニットの概略的な構成を示した外観斜視図。
【符号の説明】
【００８８】
１０  イメージスキャナ装置
１１  凹部
１３  蓋部
１５  斜面
２３  原稿トレイ
２４  排出トレイ
２５  自動原稿搬送装置
３６  排出ローラ
５７  ＣＣＤ（ＣＣＤセンサ）
５８  ＣＣＤ基板
６０  第２スキャナユニット（スキャナユニット）
６７  集光レンズ（レンズ）
【図１】
0004666287.tif 000002
【図２】
0004666287.tif 000003
【図３】
0004666287.tif 000004
【図４】
0004666287.tif 000005